【手続補正書】
【提出日】平成26年3月18日(2014.3.18)
【手続補正１】
【補正対象書類名】明細書
【補正対象項目名】０００６
【補正方法】変更
【補正の内容】
【０００６】
上記目的を達成するため、本発明に係る遊技台は、その一態様として、複数種類の図柄が施され、回転駆動される複数のリールと、前記複数のリールの各々に対応して設けられ、前記リールの回転を個別に停止させるための複数の停止ボタンと、複数種類の役の内部当選の当否を抽選する抽選手段と、前記複数のリールが回転駆動された後、前記抽選手段の抽選結果に基づいて、停止操作が行われた停止ボタンに対応するリールを停止させる停止制御を行う停止制御手段と、前記停止制御手段により停止された複数のリールの図柄組合せを判定する判定手段と、複数種類の遊技状態の中から、前記判定手段による判定結果に基づいて、対応する遊技状態に移行させる遊技状態移行手段と、を有する主制御手段と、前記主制御手段と一方向通信で接続され、前記主制御手段から送信された情報に基づき、遊技に関する演出を実行する副制御手段と、を備えた遊技台であって、前記主制御手段は、所定の実行条件が成立したことに基づいて、該所定の実行条件が成立した遊技の次遊技以降の遊技における遊技進行を遅延させる第一の演出を実行する第一の演出実行手段と、前記所定の実行条件が成立したことを示す所定の情報を前記副制御手段に送信する送信手段と、を有し、前記副制御手段は、一の遊技において前記第一の演出と同時に実行すべきでない第二の演出を実行する第二の演出実行手段と、前記複数の停止ボタンの各停止操作の操作態様を示す情報を所定の報知態様で報知する報知手段と、を有し、前記報知手段は、前記第二の演出実行手段が、前記所定の情報を受信した遊技の次遊技以降の遊技において前記第二の演出を実行しない場合には、第一の操作態様で停止操作を行うことを示す情報を所定の報知態様で報知し、前記第二の演出実行手段が、前記所定の情報を受信した遊技の次遊技以降の遊技において前記第二の演出を実行する場合には、前記第一の操作態様とは異なる第二の操作態様で停止操作を行うことを示す情報を所定の報知態様で報知するものであり、前記第一の演出実行手段は、前記所定の実行条件が成立した遊技において前記第一の操作態様で停止操作が行われた場合には、前記所定の実行条件が成立した遊技の次遊技以降の遊技において前記第一の演出を実行し、前記所定の実行条件が成立した遊技において前記第二の操作態様で停止操作が行われた場合には、前記第一の演出を実行しないものであることを特徴とする。
【手続補正２】
【補正対象書類名】特許請求の範囲
【補正対象項目名】全文
【補正方法】変更
【補正の内容】
【特許請求の範囲】
【請求項１】
複数種類の図柄が施され、回転駆動される複数のリールと、
前記複数のリールの各々に対応して設けられ、前記リールの回転を個別に停止させるための複数の停止ボタンと、
複数種類の役の内部当選の当否を抽選する抽選手段と、
前記複数のリールが回転駆動された後、前記抽選手段の抽選結果に基づいて、停止操作が行われた停止ボタンに対応するリールを停止させる停止制御を行う停止制御手段と、
前記停止制御手段により停止された複数のリールの図柄組合せを判定する判定手段と、
複数種類の遊技状態の中から、前記判定手段による判定結果に基づいて、対応する遊技状態に移行させる遊技状態移行手段と、を有する主制御手段と、
前記主制御手段と一方向通信で接続され、前記主制御手段から送信された情報に基づき、遊技に関する演出を実行する副制御手段と、
を備えた遊技台であって、
前記主制御手段は、
所定の実行条件が成立したことに基づいて、該所定の実行条件が成立した遊技の次遊技以降の遊技における遊技進行を遅延させる第一の演出を実行する第一の演出実行手段と、
前記所定の実行条件が成立したことを示す所定の情報を前記副制御手段に送信する送信手段と、を有し、
前記副制御手段は、
一の遊技において前記第一の演出と同時に実行すべきでない第二の演出を実行する第二の演出実行手段と、
前記複数の停止ボタンの各停止操作の操作態様を示す情報を所定の報知態様で報知する報知手段と、を有し、
前記報知手段は、
前記第二の演出実行手段が、前記所定の情報を受信した遊技の次遊技以降の遊技において前記第二の演出を実行しない場合には、第一の操作態様で停止操作を行うことを示す情報を所定の報知態様で報知し、
前記第二の演出実行手段が、前記所定の情報を受信した遊技の次遊技以降の遊技において前記第二の演出を実行する場合には、前記第一の操作態様とは異なる第二の操作態様で停止操作を行うことを示す情報を所定の報知態様で報知するものであり、
前記第一の演出実行手段は、
前記所定の実行条件が成立した遊技において前記第一の操作態様で停止操作が行われた場合には、前記所定の実行条件が成立した遊技の次遊技以降の遊技において前記第一の演出を実行し、
前記所定の実行条件が成立した遊技において前記第二の操作態様で停止操作が行われた場合には、前記第一の演出を実行しないものであることを特徴とする遊技台。
【請求項２】
請求項１記載の遊技台であって、
前記第二の演出は、複数の遊技に亘って実行される連続演出であり、
前記報知手段は、
前記第二の演出実行手段が、前記所定の情報を受信した遊技の次遊技以降の遊技において、前記所定の実行条件が成立した遊技で実行中の前記連続演出を実行しない場合には、前記第一の操作態様で停止操作を行うことを示す情報を所定の報知態様で報知し、
前記第二の演出実行手段が、前記所定の情報を受信した遊技の次遊技以降の遊技において、前記所定の実行条件が成立した遊技で実行中の前記連続演出を実行する場合には、前記第二の操作態様で停止操作を行うことを示す情報を所定の報知態様で報知するものであることを特徴とする遊技台。
【請求項３】
請求項２記載の遊技台であって、
前記複数種類の役には、
前記第一の操作態様で停止操作が行われた場合には、第一の図柄組合せが停止されるとともに前記第一の演出が実行される一方、前記第二の操作態様で停止操作が行われた場合には、前記第一の図柄組合せが停止されるとともに前記第一の演出が実行されない第一の役と、
前記第一の操作態様で停止操作が行われた場合には、前記第一の図柄組合せが停止され、かついずれの操作態様で停止操作が行われても前記第一の演出が実行されない第二の役と、
前記第二の操作態様で停止操作が行われた場合には、前記第一の図柄組合せが停止され、かついずれの操作態様で停止操作が行われても前記第一の演出が実行されない第三の役と、が含まれることを特徴とする遊技台。
【請求項４】
請求項２または３記載の遊技台であって、
前記主制御手段は、
前記報知手段により報知された操作態様とは異なる操作態様で停止操作が行われた場合には、遊技者に不利益を付与可能な不利益付与手段をさらに備えることを特徴とする遊技台。
【請求項５】
請求項１乃至４のいずれか１項に記載の遊技台であって、
前記複数種類の役には、
前記複数の停止ボタンの各停止操作の操作態様がいかなる操作態様であっても、第四の図柄組合せが停止される第四の役が含まれ、
前記第一の演出実行手段は、
前記所定の実行条件が成立した遊技において前記第一の操作態様で停止操作が行われた場合であって、かつ、前記所定の実行条件が成立した遊技の次遊技以降の遊技において前記抽選手段により前記第四の役が内部当選した場合には、前記第四の役が内部当選した当該遊技において前記第一の演出を実行し、
前記所定の実行条件が成立した遊技において前記第二の操作態様で停止操作が行われた場合には、前記第一の演出を実行しないものであることを特徴とする遊技台。